【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
方法であって、
３次元映像（３ＤＶ）レイヤ間のレイヤ間依存関係構造を示すシンタックス要素を生成するステップであって、該シンタックス要素が３ＤＶレイヤ間のレイヤ間依存を規定するシンタックス構造に関係する、該ステップと、
前記レイヤ間依存関係構造に基づいて前記３ＤＶレイヤのうちの１つのレイヤに属するピクチャに対するレイヤ間予測参照を識別するステップと、
少なくとも部分的には前記レイヤ間予測参照に基づいて前記ピクチャを符号化するステップと、
を含む、前記方法。
【請求項２】
前記符号化されたピクチャを含むビットストリームを生成するステップと、
前記符号化されたピクチャと前記符号化されたピクチャの復号処理に使用される前記シンタックス要素とを供給するステップと、
をさらに含む、請求項１に記載の方法。
【請求項３】
前記シンタックス要素が前記ビットストリームとは別である、請求項２に記載の方法。
【請求項４】
前記シンタックス要素が前記ビットストリーム内に含まれる、請求項２に記載の方法。
【請求項５】
前記シンタックス要素が、ネットワーク抽象化レイヤ（ＮＡＬ）ユニット・ヘッダ、シーケンス・パラメータ・セット（ＳＰＳ）、ピクチャ・パラメータ・セット（ＰＰＳ）、補足エンハンスメント情報（ＳＥＩ）、およびスライス・ヘッダの少なくとも１つの中に構成される、請求項２に記載の方法。
【請求項６】
前記シンタックス要素が前記レイヤ間依存関係構造を明示的に伝達する、請求項２に記載の方法。
【請求項７】
前記シンタックス要素が、各所与の３ＤＶレイヤに対する３ＤＶレイヤ識別子を供給し、該３ＤＶレイヤ識別子が、対応する所与の３ＤＶレイヤの前記レイヤ間予測参照を示す、請求項６に記載の方法。
【請求項８】
前記レイヤ間依存関係構造が事前に規定され、前記シンタックス要素が各３ＤＶビューごとに特定の３ＤＶレイヤが存在するかどうかを伝達することによって該レイヤ間依存関係構造を示す、請求項１に記載の方法。
【請求項９】
前記レイヤ間依存関係構造が、（ａ）奥行きレイヤに対するレイヤ間予測参照が２次元（２Ｄ）映像レイヤであること、（ｂ）隠蔽映像レイヤに対するレイヤ間予測参照が前記２Ｄ映像レイヤであること、（ｃ）隠蔽奥行きレイヤに対するレイヤ間予測参照が前記奥行きレイヤであること、および（ｄ）透明度レイヤに対するレイヤ間予測参照が前記２Ｄ映像レイヤであることのうちの少なくとも１つを指定する、請求項１に記載の方法。
【請求項１０】
前記レイヤ間依存関係構造が、（ａ）奥行きレイヤに対するレイヤ間予測参照が２次元（２Ｄ）映像レイヤであること、（ｂ）隠蔽映像レイヤに対するレイヤ間予測参照が前記２Ｄ映像レイヤおよび前記奥行きレイヤであること、（ｃ）隠蔽奥行きレイヤに対するレイヤ間予測参照が前記２Ｄ映像レイヤおよび前記奥行きレイヤであること、ならびに（ｄ）透明度レイヤに対するレイヤ間予測参照が前記２Ｄ映像レイヤおよび前記奥行きレイヤであることのうちの少なくとも１つを指定する、請求項１に記載の方法。
【請求項１１】
前記シンタックス要素を生成するステップ、前記レイヤ間予測参照を識別するステップ、および前記ピクチャを符号化するステップが、１つまたは複数のエンコーダにおいて実行される、請求項１に記載の方法。
【請求項１２】
装置であって、
３次元映像（３ＤＶ）レイヤ間のレイヤ間依存関係構造を示すシンタックス要素を生成する手段であって、該シンタックス要素が３ＤＶレイヤ間のレイヤ間依存を規定するシンタックス構造に関係する、該手段と、
前記レイヤ間依存関係構造に基づいて前記３ＤＶレイヤのうちの１つのレイヤに属するピクチャに対するレイヤ間予測参照を識別する手段と、
少なくとも部分的には前記レイヤ間予測参照に基づいて前記ピクチャを符号化する手段と、
を備える、前記装置。
【請求項１３】
プロセッサが読み出し可能な媒体であって、
プロセッサに少なくとも、
３次元映像（３ＤＶ）レイヤ間のレイヤ間依存関係構造を示すシンタックス要素を生成するステップであって、該シンタックス要素が３ＤＶレイヤ間のレイヤ間依存を規定するシンタックス構造に関係する、該ステップと、
前記レイヤ間依存関係構造に基づいて前記３ＤＶレイヤのうちの１つのレイヤに属するピクチャに対するレイヤ間予測参照を識別するステップと、
少なくとも部分的には前記レイヤ間予測参照に基づいて前記ピクチャを符号化するステップと、
を実行させる命令を記憶した、前記媒体。
【請求項１４】
装置であって、
プロセッサを備え、該プロセッサが、少なくとも、
３次元映像（３ＤＶ）レイヤ間のレイヤ間依存関係構造を示すシンタックス要素を生成するステップであって、該シンタックス要素が３ＤＶレイヤ間のレイヤ間依存を規定するシンタックス構造に関係する、該ステップと、
前記レイヤ間依存関係構造に基づいて前記３ＤＶレイヤのうちの１つのレイヤに属するピクチャに対するレイヤ間予測参照を識別するステップと、
少なくとも部分的には前記レイヤ間予測参照に基づいて前記ピクチャを符号化するステップと、
を実行するように構成された、前記装置。
【請求項１５】
装置であって、
３次元映像（３ＤＶ）レイヤ間のレイヤ間依存関係構造を示すシンタックス要素を生成することであって、該シンタックス要素が３ＤＶレイヤ間のレイヤ間依存を規定するシンタックス構造に関係する、該生成することと、前記レイヤ間依存関係構造に基づいて前記３ＤＶレイヤのうちの１つのレイヤに属するピクチャに対するレイヤ間予測参照を識別することと、を行うように構成された３ＤＶ参照バッファと、
少なくとも部分的には前記レイヤ間予測参照に基づいて前記ピクチャを符号化するように構成された３ＤＶレイヤ・エンコーダと、
を備える、前記装置。
【請求項１６】
前記３ＤＶレイヤ・エンコーダが、前記符号化されたピクチャを含むビットストリームを生成し、該符号化されたピクチャと該符号化されたピクチャの復号処理に使用される前記シンタックス要素とを供給するようにさらに構成される、請求項１５に記載の装置。
【請求項１７】
装置であって、
３次元映像（３ＤＶ）レイヤ間のレイヤ間依存関係構造を示すシンタックス要素を生成することであって、該シンタックス要素が３ＤＶレイヤ間のレイヤ間依存を規定するシンタックス構造に関係する、該生成することと、該レイヤ間依存関係構造に基づいて該３ＤＶレイヤのうちの１つのレイヤに属するピクチャに対するレイヤ間予測参照を識別することと、を行うように構成された３ＤＶ参照バッファと、
少なくとも部分的には前記レイヤ間予測参照に基づいて前記ピクチャを符号化するように構成された３ＤＶレイヤ・エンコーダと、
前記符号化されたピクチャを含む信号を変調するように構成された変調器と、
を備える、前記装置。
【請求項１８】
映像信号構造であって、
３次元映像（３ＤＶ）レイヤ間のレイヤ間依存関係構造を示すシンタックス要素に対する１つまたは複数のシンタックス部分であって、該シンタックス要素が３ＤＶレイヤ間のレイヤ間依存を規定するシンタックス構造に関係する、該１つまたは複数のシンタックス部分と、
前記レイヤ間依存関係構造に属するレイヤ間予測参照に少なくとも部分的には基づいて符号化された符号化済みピクチャに対する１つまたは複数のピクチャ部分と、
を含み、
前記符号化済みピクチャと前記シンタックス要素とが、前記符号化済みピクチャの復号処理に使用されるために供給される、前記映像信号構造。
【請求項１９】
プロセッサが読み出し可能な媒体であって、
３次元映像（３ＤＶ）レイヤ間のレイヤ間依存関係構造を示すシンタックス要素に対する１つまたは複数のシンタックス部分であって、該シンタックス要素が３ＤＶレイヤ間のレイヤ間依存を規定するシンタックス構造に関係する、該１つまたは複数のシンタックス部分と、
前記レイヤ間依存関係構造に属するレイヤ間予測参照に少なくとも部分的には基づいて符号化された符号化済みピクチャに対する１つまたは複数のピクチャ部分と、
を含み、
前記符号化済みピクチャと前記シンタックス要素とが、該符号化済みピクチャの復号処理に使用されるために供給される映像信号構造を記憶した、前記媒体。
【請求項２０】
方法であって、
ビットストリーム内の符号化されたピクチャにアクセスするステップであって、該ピクチャが所与の時点の所与のビューに属する特定の３次元映像（３ＤＶ）レイヤに対する３ＤＶ情報を記述する、該ステップと、
前記特定の３ＤＶレイヤを含む３ＤＶレイヤのセットに対するレイヤ間依存関係構造を示すシンタックス要素にアクセスするステップであって、該シンタックス要素が３ＤＶレイヤ間のレイヤ間依存を規定するシンタックス構造に関係する、該ステップと、
少なくとも部分的には前記レイヤ間依存関係構造に基づいて前記符号化されたピクチャを復号するステップと、
を含む、前記方法。
【請求項２１】
前記レイヤ間依存関係構造を示す出力フォーマットで、前記復号されたピクチャを供給するステップをさらに含む、請求項２０に記載の方法。
【請求項２２】
前記出力フォーマットが前記シンタックス要素を含む、請求項２１に記載の方法。
【請求項２３】
前記復号するステップが、前記シンタックス要素に基づいて前記ピクチャに対する参照ピクチャ・リストを構築することをさらに含む、請求項２０に記載の方法。
【請求項２４】
前記符号化されたピクチャにアクセスするステップ、前記シンタックス要素にアクセスするステップ、および前記符号化されたピクチャを復号するステップが、１つまたは複数のエンコーダまたはデコーダにおいて実行される、請求項２０に記載の方法。
【請求項２５】
装置であって、
ビットストリーム内の符号化されたピクチャにアクセスする手段であって、該ピクチャが所与の時点の所与のビューに属する特定の３次元映像（３ＤＶ）レイヤに対する３ＤＶ情報を記述する、該手段と、
前記特定の３ＤＶレイヤを含む３ＤＶレイヤのセットのレイヤ間依存関係構造を示すシンタックス要素にアクセスする手段であって、該シンタックス要素が３ＤＶレイヤ間のレイヤ間依存を規定するシンタックス構造に関係する、該手段と、
少なくとも部分的には前記レイヤ間依存関係構造に基づいて前記符号化されたピクチャを復号する手段と、
を備える、前記装置。
【請求項２６】
プロセッサが読み出し可能な媒体であって、
プロセッサに、少なくとも、
ビットストリーム内の符号化されたピクチャにアクセスするステップであって、該ピクチャが所与の時点の所与のビューに属する特定の３次元映像（３ＤＶ）レイヤに対する３ＤＶ情報を記述する、該ステップと、
前記特定の３ＤＶレイヤを含む３ＤＶレイヤのセットのレイヤ間依存関係構造を示すシンタックス要素にアクセスするステップであって、該シンタックス要素が３ＤＶレイヤ間のレイヤ間依存を規定するシンタックス構造に関係する、該ステップと、
少なくとも部分的には前記レイヤ間依存関係構造に基づいて前記符号化されたピクチャを復号するステップと、
を実行させる命令を記憶した、前記媒体。
【請求項２７】
装置であって、
プロセッサを備え、該プロセッサが、少なくとも、
ビットストリーム内の符号化されたピクチャにアクセスする手段であって、該ピクチャが所与の時点の所与のビューに属する特定の３次元映像（３ＤＶ）レイヤに対する３ＤＶ情報を記述する、該ステップと、
前記特定の３ＤＶレイヤを含む３ＤＶレイヤのセットに対するレイヤ間依存関係構造を示すシンタックス要素にアクセスするステップであって、該シンタックス要素が３ＤＶレイヤ間のレイヤ間依存を規定するシンタックス構造に関係する、該ステップと、
少なくとも部分的には前記レイヤ間依存関係構造に基づいて前記符号化されたピクチャを復号するステップと、
を実行するように構成された、前記装置。
【請求項２８】
装置であって、
ビットストリーム内の符号化されたピクチャにアクセスするように構成された３次元映像（３ＤＶ）レイヤ・デコーダであって、該ピクチャが所与の時点の所与のビューに属する特定の３ＤＶレイヤに対する３ＤＶ情報を記述する、該３ＤＶレイヤ・デコーダと、
前記特定の３ＤＶレイヤを含む３ＤＶレイヤのセットに対するレイヤ間依存関係構造を示すシンタックス要素にアクセスするように構成された３ＤＶ参照バッファであって、該シンタックス要素が３ＤＶレイヤ間のレイヤ間依存を規定するシンタックス構造に関係する、該３ＤＶ参照バッファと、
を備え、
前記３ＤＶレイヤ・デコーダが、少なくとも部分的には前記レイヤ間依存関係構造に基づいて前記符号化されたピクチャを復号するようにさらに構成された、前記装置。
【請求項２９】
装置であって、
信号を復調して復調されたビットストリームを生成するように構成された復調器と、
前記復調されたビットストリームに属する符号化されたピクチャにアクセスするように構成された３次元映像（３ＤＶ）レイヤ・デコーダであって、該ピクチャが所与の時点の所与のビューに属する特定の３ＤＶレイヤに対する３ＤＶ情報を記述する、該３ＤＶレイヤ・デコーダと、
前記特定の３ＤＶレイヤを含む３ＤＶレイヤのセットに対するレイヤ間依存関係構造を示すシンタックス要素にアクセスするように構成された３ＤＶ参照バッファであって、該シンタックス要素が３ＤＶレイヤ間のレイヤ間依存を規定するシンタックス構造に関係する、該３ＤＶ参照バッファと、
を備え、
前記３ＤＶレイヤ・デコーダが、少なくとも部分的には前記レイヤ間依存関係構造に基づいて前記符号化されたピクチャを復号するようにさらに構成された、前記装置。
【請求項３０】
方法であって、
複数の３次元映像（３ＤＶ）レイヤのうちの特定の３ＤＶレイヤに対する伝送優先順位にアクセスするステップであって、該伝送優先順位が該複数の３ＤＶレイヤ間のレイヤ間依存関係構造に基づく、該ステップと、
前記特定の３ＤＶレイヤに属する符号化されたデータを伝送するかどうかを判定するステップであって、該伝送するかどうかを判定することが前記特定の３ＤＶレイヤに対する伝送優先順位に基づき、かつネットワーク輻輳の指示に基づく、該ステップと、
を含む、前記方法。
【請求項３１】
前記複数の３ＤＶレイヤ間のレイヤ間依存関係構造を示すシンタックス要素にアクセスするステップであって、該シンタックス要素が３ＤＶレイヤ間のレイヤ間依存を規定するシンタックス構造に関係する、該ステップと、
前記構造に基づいて前記３ＤＶレイヤのうちの前記特定の３ＤＶレイヤに対する前記伝送優先順位を決定するステップと、
をさらに含む、請求項３０に記載の方法。
【手続補正２】
【補正対象書類名】明細書
【補正対象項目名】０２６８
【補正方法】変更
【補正の内容】
【０２６８】
図３２に示すように、時点Ｔ０のその他の各３ＤＶビューは、３ＤＶビュー中の２Ｄ映像レイヤに対応するＮＡＬユニット２０および奥行きレイヤに対応するＮＡＬユニット２１で構成される。ビュー３２０８および３２１０内のＮＡＬユニットは、図１２に関連して上述したように、ビュー１２０６および１２０８中のＮＡＬユニットと同じ機能を有することができる。同様に、時点Ｔ１の３ＤＶビューのセットは、３ＤＶビュー３２０６中のＮＡＬユニット５が３ＤＶビュー３２１２中のＮＡＬユニット１  ３２３０で置き換えられることを除けば、基本的に時点Ｔ０の３ＤＶビューのセットと同様に構築される。実施形態３に関連して上述したように、ＮＡＬユニット１は、非ＩＤＲピクチャの符号化済みスライスの映像データを含む。